【手続補正書】
【提出日】平成29年2月14日(2017.2.14)
【手続補正１】
【補正対象書類名】特許請求の範囲
【補正対象項目名】全文
【補正方法】変更
【補正の内容】
【特許請求の範囲】
【請求項１】
被計数材料をホッパの供給口の下方に設けた受渡機構で前記被計数材料の姿勢を変更させながら案内経路で整列させ、前記案内経路に連続する螺旋溝棒及びガイド棒を有する搬送機構の搬送経路に受け渡し、搬送し計数して容器に充填する計数充填装置であって、
前記搬送機構は、前記螺旋溝棒が前記案内経路から前記搬送経路に亘って設置されると共に、前記螺旋溝棒の基端側に対向して前記ガイド棒の軸線に沿って設けられ、前記案内経路を形成する側面ガイド部を備え、
前記供給口から前記搬送経路までの間に、前記螺旋溝棒の螺旋溝に前記側面ガイド部を介して支持した被計数材料を前記案内経路から前記搬送経路に通過させ、かつ、前記螺旋溝棒又は被計数材料に余分に重なった被計数材料の通過を阻止すると共に前記案内経路に沿って待機させるように設けた調整手段を備えることを特徴とする計数充填装置。
【請求項２】
前記受渡機構は、前記側面ガイド部の上方で前記側面ガイド部の長手方向に回転軸を平行して設けられ前記被計数材料の姿勢を変更し得る回転ローラと、この回転ローラに対向させて前記被計数材料を整列させる前記案内経路となる間隔を空けて前記螺旋溝棒の基端側となる上方位置に対面して設けた中央ガイド部とを備え、
前記回転ローラは、前記案内経路に沿って自重で降下する前記被計数材料の降下方向とは反対方向に駆動モータを介して回転するように設けられることを特徴とする請求項１に記載の計数充填装置。
【請求項３】
前記調整手段は、前記回転ローラの先端側に設けられたフレーム前方側壁と、このフレーム前方側壁の左右を前記供給口から連続して支持するフレーム左右側壁とを備え、
前記フレーム前方側壁、フレーム左右側壁は、前記回転ローラ及び中央ガイド部の間となる前記案内経路を囲むように設置された仕切フレーム部を構成し、
前記仕切フレーム部で囲まれる範囲の前記案内経路を含む領域内に前記ホッパの供給口から前記受渡機構を介して前記螺旋溝に受け渡せなかった前記被計数材料を待機させ、
前記フレーム前方側壁は、前記螺旋溝に支持されて送られる被計数材料を通過させ、前記螺旋溝棒又は前記被計数材料に余分に重なる被計数材料の通過を阻止する位置に設けられたことを特徴とする請求項２に記載の計数充填装置。
【請求項４】
前記調整手段は、前記回転ローラの先端に当該回転ローラの直径よりも大きく形成して設けられた遮蔽回転板と、この遮蔽回転板に沿って設けられたフレーム前方側壁と、このフレーム前方側壁の左右を前記供給口から連続して支持するフレーム左右側壁とを備え、
前記フレーム前方側壁、遮蔽回転板、フレーム左右側壁は、前記回転ローラ及び中央ガイド部の間となる前記案内経路を囲むように設置された仕切フレーム部を構成し、
前記仕切フレーム部で囲まれる範囲の前記案内経路を含む領域内に前記ホッパの供給口から前記受渡機構を介して前記螺旋溝に受け渡せなかった前記被計数材料を待機させ、
前記遮蔽回転板は、前記螺旋溝に支持されて送られる被計数材料を通過させ、前記螺旋溝棒又は前記被計数材料に余分に重なる被計数材料の通過を阻止する位置に設けられたことを特徴とする請求項２に記載の計数充填装置。
【請求項５】
前記調整手段は、前記案内経路と搬送経路の間に設けたフレーム前方側壁と、このフレーム前方側壁に沿って設けた遮蔽回転板と、前記フレーム前方側壁を前記ホッパの供給口から連続して支持するように設けたフレーム左右側壁とにより前記受渡機構の上方において前記供給口に隣接する位置で前記案内経路を囲むように設置された仕切フレーム部の側壁を構成し、
前記受渡機構は、前記供給口及び前記仕切フレーム部の下方で、前記螺旋溝棒の基端側となる螺旋溝へと前記被計数材料を案内する案内経路幅を規制する規制手段と、前記案内経路に沿って設置される姿勢変更手段と、を備え、
前記規制手段は、前記供給口及び仕切フレーム部の下方で、前記螺旋溝棒の直上に設置された中央ガイド部と、前記螺旋溝棒の側面側に対向して設けられ前記螺旋溝棒に被計数材料を案内する前記側面ガイド部とを有し、
前記姿勢変更手段は、前記側面ガイド部の上方で、前記中央ガイド部の側面側に前記案内経路を隔てて対向して設けた回転ローラと、この回転ローラを前記被計数材料の降下方向とは異なる方向に回転させる回転駆動手段と、を有し、
前記フレーム前方側壁及び前記フレーム左右側壁の少なくとも一方に、前記遮蔽回転板の回転をするための切欠部を形成し、
前記遮蔽回転板は、前記回転ローラの長手方向の先端側に設けられ、前記螺旋溝に支持されて送られる被計数材料を通過させ、前記螺旋溝棒又は前記被計数材料に余分に重なる被計数材料の通過を阻止することを特徴とする請求項１に記載の計数充填装置。
【請求項６】
前記側面ガイド部は、前記回転ローラに対面するように配置されると共に、前記螺旋溝棒の基端側に対向して配置され前記螺旋溝棒の螺旋溝に前記被計数材料を案内する側面ガイドブロックであり、
前記ガイド棒は、前記側面ガイドブロックの長手方向の端部に前記遮蔽回転板の外周縁に接触しない溝部を形成して前記側面ガイドブロックの前記端部に接続されることを特徴とする請求項４又は請求項５に記載の計数充填装置。
【請求項７】
前記側面ガイド部は、前記ガイド棒の周面に設けられ、前記螺旋溝棒に対向する面が平面に形成されたたガイド部であり、
前記ガイド棒は、前記ガイド部の長手方向における先端部に対応する位置に前記遮蔽回転板の外周縁に接触しない溝部を形成したことを特徴とする請求項４又は請求項５に記載の計数充填装置。
【請求項８】
前記螺旋溝棒の先端を回動自在にかつ着脱自在に支持する第１先端支持ホルダと、前記螺旋溝棒の基端を第１基端支持ホルダで回転自在にかつ着脱自在に支持する第１基端支持ホルダとを基台上に備える第１支持ホルダと、
前記ガイド棒の先端を着脱自在に支持する第２先端支持ホルダと、前記回転ローラの長手方向における基端を回動自在に支持すると共に、前記ガイド棒の基端を接続する前記側面ガイドブロックの基端を着脱自在に支持する第２基端支持ホルダとを、前記第１支持ホルダに隣り合う位置で前記基台上に備える第２支持ホルダと、を有し、
前記第２支持ホルダは、前記基台面に沿って前記第１支持ホルダに近接離間させるホルダ移動機構に接続され、
前記ホルダ移動機構は、前記第１支持ホルダに対して前記第２支持ホルダを前記基台に沿って直線移動させる直線移動手段と、この直線移動手段に駆動力を伝達する駆動力伝達手段と、この駆動力伝達手段を駆動させるホルダ駆動源とを備えることを特徴とする請求項６に記載の計数充填装置。
【請求項９】
前記螺旋溝棒の両端を回動自在にかつ着脱自在に支持するように基台上に設けられた第１支持ホルダと、
前記回転ローラの長手方向における基端を回動自在に支持すると共に、前記ガイド棒の両端を着脱自在に支持し、前記第１支持ホルダに隣り合う位置で前記基台上に設けられた第２支持ホルダと、を有し、
前記第２支持ホルダは、前記基台面に沿って前記第１支持ホルダに近接離間させるホルダ移動機構に接続され、
前記ホルダ移動機構は、前記第１支持ホルダに対して前記第２支持ホルダを前記基台に沿って直線移動させる直線移動手段と、この直線移動手段に駆動力を伝達する駆動力伝達手段と、この駆動力伝達手段を駆動させるホルダ駆動源とを備えることを特徴とする請求項７に記載の計数充填装置。
【請求項１０】
前記中央ガイド部及び前記回転ローラの上方で前記回転ローラから離間し前記フレーム前方側壁から所定間隔を空けて設置した傾斜板を設け、
前記傾斜板は、前記フレーム前方側壁に対向する位置に形成した立上面と、この立上面から連続して傾斜する傾斜面とを備え、
前記傾斜面は、前記ホッパの供給口側に向かって前記被計数材料を自重で移動させる傾斜角度に形成されていることを特徴とする請求項４に記載の計数充填装置。
【請求項１１】
前記螺旋溝棒、前記ガイド棒及び側面ガイド部の下方で、前記案内経路から連続する前記搬送経路の少なくとも一部又は全部に対向する位置を囲む領域区画部と、この領域区画部で囲まれる範囲の大気を吸引して集塵する集塵吸引機構を備え、
前記領域区画部は、前記螺旋溝棒及び前記ガイド棒の間、前記螺旋溝棒及び側面ガイド部の間を横断するように形成された両端部の経路横断壁面と、前記ガイド棒の長手方向に沿って形成された左右の経路平行壁面と、前記案内経路及び搬送経路に対向する底面側の位置に設けられた経路底壁面とを有し、
前記経路横断壁面の上端は、前記ガイド棒及び前記螺旋溝棒まで近接させた位置まで、及び、前記ガイド棒及び前記側面ガイド部まで近接させた位置まで設けられ、
前記経路平行壁面の上端は、前記ガイド棒に当接又は近接させた位置まで設けられ、
前記経路底壁面側に前記集塵吸引機構の吸引開口を設けたことを特徴とする請求項１から請求項５のいずれか一項に記載の計数充填装置。
【請求項１２】
請求項２から請求項１１のいずれか一項の計数充填装置により、ホッパに投入された被計数材料を、受渡機構により姿勢を変えながら案内経路で整列させて搬送機構の搬送経路に受け渡し、当該搬送機構である螺旋溝棒の螺旋溝及びガイド棒で支持して搬送して送り出し、前記被計数材料を計数手段により計数して容器に充填する計数充填方法であって、
ホッパに被計数材料を投入する投入工程と、
投入された被計数材料をホッパの供給口から自重で降下させて前記受渡機構の姿勢変更手段である回転ローラにより被計数材料の降下する方向とは異なる方向に摩擦力を付与するように回転させることで前記被計数材料の向きを変えながら前記受渡機構の規制手段により形成した案内経路により整列させて前記規制手段の側面ガイド部を介して前記螺旋溝棒の螺旋溝に受け渡す受渡工程と、
前記受渡機構により前記螺旋溝棒の螺旋溝に受け渡された被計数材料を、前記螺旋溝棒の回転により前記案内経路から前記螺旋溝棒の搬送経路に送り前記螺旋溝及び前記ガイド棒の間となる支持空間領域で支持した状態で搬送端まで搬送する搬送工程と、
前記搬送端まで搬送された被計数材料を送り出し、計数手段により計数すると共に、計数された当該被計数材料を容器に充填する充填工程とを含み、
前記受渡工程において、供給口から搬送経路までの間に設けた調整手段により、前記螺旋溝に対向する側面ガイド部を介して支持した被計数材料を前記案内経路から前記搬送経路に通過させ、かつ、前記螺旋溝棒又は被計数材料に余分に重なった被計数材料の通過を阻止すると共に前記案内経路に沿って待機させ、回転する前記螺旋溝棒の空いている螺旋溝が存在する場合に当該螺旋溝に受け渡す予備受渡工程を合わせて行うことを特徴とする計数充填方法。
【請求項１３】
前記受渡工程及び搬送工程において、前記搬送経路及び前記案内経路の下方に設けた吸引開口から集塵吸引機構により吸引作業を行う吸引工程を合わせて行うことを特徴とする請求項１２に記載の計数充填方法。